(57)【要約】【課題】通気膜を設けた上で、通気膜の通気性が損なわれることを抑制することを目的とすることを目的とする。【解決手段】電気機器のケースに設けられた作業用の開口部に着脱可能なシールカバー１０であって、前記ケースの前記開口部を覆い、前記ケースの表面に取り付けられるカバー本体２０と、前記カバー本体２０に取り付けられ、前記開口部に嵌合可能で、かつ前記開口部の内周面に水密可能に密着するシール部材４７を外周面に装着した嵌合部４１とを備えており、前記嵌合部４１には、防水性と通気性との双方の機能を有する通気膜８０により遮られ、嵌合方向に貫通した状態で設けられた通気孔５１が設けられており、前記通気孔５１には前記通気膜８０よりも前記カバー本体２０と反対側に、異物が前記通気膜８０に触れることを防止する異物防止部５９が設けられている。【選択図】図４
2017084928.tif 000002
【特許請求の範囲】
【請求項１】
電気機器のケースに設けられた作業用の開口部に着脱可能なシールカバーであって、
前記ケースの前記開口部を覆い、前記ケースの表面に取り付けられるカバー本体と、
前記カバー本体に取り付けられ、前記開口部に嵌合可能で、かつ前記開口部の内周面に水密可能に密着するシール部材を外周面に装着した嵌合部とを備えており、
前記嵌合部には、防水性と通気性との双方の機能を有する通気膜により遮られ、嵌合方向に貫通した状態で設けられた通気孔が設けられており、
前記通気孔には前記通気膜よりも前記カバー本体と反対側に、異物が前記通気膜に触れることを防止する異物防止部が設けられている電気機器のシールカバー。
【請求項２】
前記通気膜は、前記通気孔のカバー本体側の孔縁部に固定されており、
前記異物防止部は、前記通気膜とは離間した状態で、前記通気孔の前記開口部側の開口縁部を仕切る請求項１に記載の電気機器のシールカバー。
【請求項３】
前記通気膜には、通気膜の表裏を識別するための識別ラインが設けられており、
前記識別ラインが前記異物防止部の側方に設けられている請求項１または請求項２に記載の電気機器のシールカバー。
【発明の詳細な説明】
【技術分野】
【０００１】
本明細書に開示される技術は、電気機器に設けられた作業用の開口部を覆うために着脱可能に装着されるシールカバーに関する。
【背景技術】
【０００２】
例えば、自動車等において搭載される電気機器には、そのケース内部に外部との接続を行うためのコネクタや端子台などが設けられている。そして、外部との接続作業を行うために、電気機器のケースには開口部が設けられている。そして、接続作業を行わないときにはこの開口部に、シールカバーが被着されるようになっている。
【０００３】
このような電気機器のシールカバーの一例として、特開２０１２−２３６４５０号公報（下記特許文献１）に記載されたものが知られている。このシールカバーは、開口部を覆うことが可能なカバー本体と、カバー本体の裏面に開口部内に嵌合されるシール部材保持部材とを備えており、シール部材保持部材の外周面にシール部材が装着される。そして、このシールカバーを開口部に被せて係止すると、シール部材保持部材の外周面のシール部材が開口部の内周面に密着してシールされ、開口部からの水の浸入や異物の混入等を防止できるようになっている。
【０００４】
ところで、電気機器のケースは、防水性が要求されるために密閉状態となっている。このため、特開２００１−１６８５４５号公報（下記特許文献２）に記載されるように、ケースに通気部材取付孔を設け、防水性と通気性の双方の機能を有する通気膜を有する通気部材を通気部材取付孔に組み付ける構成が知られている。このように、通気膜を有する通気部材をケースに組み付けることで、周囲温度の変動等によって生じたケース内外の圧力差を通気膜によって通気することで緩和している。
【先行技術文献】
【特許文献】
【０００５】
【特許文献１】特開２０１２−２３６４５０号公報
【特許文献２】特開２００１−１６８５４５号公報
【発明の概要】
【発明が解決しようとする課題】
【０００６】
しかしながら、特開２００１−１６８５４５号公報（上記特許文献２）のように、通気部材を別に設けると、通気部材を別に設ける分だけ製造コストが増大すると共に、組み付け工数が増えることになる。そこで、特開２０１２−２３６４５０号公報（上記特許文献１）のシールカバーの一部に通気膜を設けることが考えられる。しかしながら、シールカバーの一部に通気膜を設けると、シールカバーの脱着作業時に通気膜に手指等が触れて、手指等の油分などが付着し、通気膜の通気性が損なわれる虞がある。
【課題を解決するための手段】
【０００７】
本明細書で開示される電気機器のシールカバーは、電気機器のケースに設けられた作業用の開口部に着脱可能なシールカバーであって、前記ケースの前記開口部を覆い、前記ケースの表面に取り付けられるカバー本体と、前記カバー本体に取り付けられ、前記開口部に嵌合可能で、かつ前記開口部の内周面に水密可能に密着するシール部材を外周面に装着した嵌合部とを備えており、前記嵌合部には、防水性と通気性との双方の機能を有する通気膜により遮られ、嵌合方向に貫通した状態で設けられた通気孔が設けられており、前記通気孔には前記通気膜よりも前記カバー本体と反対側に、異物が前記通気膜に触れることを防止する異物防止部が設けられている。
【０００８】
このような構成の電気機器のシールカバーによると、通気孔及び通気孔に取り付けられた通気膜は、一方はカバー本体によって覆われ、他方は異物防止部が設けられることで、保護されている。そのため、シールカバーの着脱時等に手指等が通気膜に触れることを抑制できる。
【０００９】
本明細書に開示される電気機器のシールカバーの実施の態様として、以下の構成としてもよい。
前記通気膜は、前記通気孔のカバー本体側の孔縁部に固定されており、前記異物防止部は、前記通気膜とは離間した状態で、前記通気孔の前記開口部側の開口縁部を仕切る構成としても良い。
このような構成では、通気膜と侵入防止部との間が離間した状態にあるため、通気膜が異物防止部によって邪魔されずに通気可能となる。また、異物防止部が開口部側に設けられていることで、通気孔内に手指等が入ることを抑制できる。
【００１０】
また、前記通気膜には、通気膜の表裏を識別するための識別ラインが設けられており、前記識別ラインが前記異物防止部の側方に設けられている構成としても良い。
このような構成では、異物防止部の側方に識別ラインが設けられているため、異物防止部があっても識別ラインを確認することができる。
【発明の効果】
【００１１】
本明細書に開示された電気機器のシールカバーによれば、通気膜を設けた上で、通気膜の通気性が損なわれることを抑制できる。
【図面の簡単な説明】
【００１２】
【図１】実施形態１に係る電気機器のシールカバーの正面図
【図２】同側面図
【図３】図１におけるＩＩＩ−ＩＩＩ線での断面図
【図４】図１におけるＩＶ−ＩＶ線での断面図
【発明を実施するための形態】
【００１３】
＜実施形態＞
実施形態について図１から図４を参照して説明する。
本実施形態のシールカバー１０は、車両に搭載されたモータやインバータなどの電気機器のシールドケースの作業用の開口部を閉止するものである。以下の説明では、図３及び図４における上方を上方とし、図３及び図４における下方を下方として説明する。また、図４における左側（ケースへの嵌合方向）を前方とし、図４における右側（ケースからの離脱方向）を後方とする。
【００１４】
シールカバー１０は、図１から図４に示すように、カバー本体２０と、シール部材保持部材４０と、タップネジ６０と、インターロックコネクタ７０と、通気膜８０とを備えて構成されている。
カバー本体２０は、鋼板等の金属板をプレス加工することで形成され、図１及び図２に示すように、全体としては、ケースの開口部を覆うことが可能な略矩形状をなす伏浅皿形状をしている。このカバー本体２０の前方に、シール部材保持部材４０が配設されるようになっている。カバー本体２０の長手方向の両端部には取付板２１が張り出し形成され、それぞれケースに固定するためのボルトを挿通可能なボルト挿通孔２３が開口されている。
【００１５】
カバー本体２０の略中央部分には、図３に示すように、前側（シール部材保持部材４０側）に凹んでいる略円形状の凹部２５が設けられている。凹部２５は、後記するタップネジ６０の外径よりも大きな外径を有している。凹部２５は、タップネジ６０をねじ込んだ際にタップネジ６０がカバー本体２０から突出しない程度に凹んでいる。そして、凹部２５の中心には、後記するボス部４９を挿通可能な略円形状の挿通孔２７が設けられている。挿通孔２７は、カバー本体２０の板厚方向に貫通している。
【００１６】
シール部材保持部材４０は、図３及び図４に示すように、合成樹脂製であって、ケースの開口部に嵌合可能な嵌合部４１と、嵌合部４１の前端縁部に設けられた平板状の平板部４３とを有している。嵌合部４１の後端縁部は、カバー本体２０に当接するようになっている。また、平板部４３は、横長な形状となっており、嵌合部４１の外周形状とほぼ同じ外周形状となっている。嵌合部４１における外周面には、シール装着溝４５が全周に亘って形成されている。シール装着溝４５には、長円形の環形をなすシール部材４７が嵌着されている。このシール部材４７によって、シール部材保持部材４０とケースの開口部との間はシールされている。
【００１７】
また、図３に示すように、シール部材保持部材４０の平板部４３の略中心位置には円柱状のボス部４９が前後方向に突出するように設けられている。ボス部４９の上端部は、カバー本体２０の挿通孔２７の孔縁部との間に所定のクリアランスを有する状態で挿通可能とされている。また、カバー本体２０の挿通孔２７に挿通した際には、ボス部４９の突出端面が凹部２５の表面から若干突出する突出寸法となるようボス部４９の高さは設定されている。そして、ボス部４９には、下穴４９Ａが設けられている。
【００１８】
そして、ボス部４９の下穴４９Ａには、図３に示すように、タップネジ６０がネジ止めされる。タップネジ６０は、略円形状の頭部６１と、頭部６１が拡径したリング部６３と、下穴４９Ａにネジを切り込み可能なネジ部６５とを備えている。リング部６３の外径は、カバー本体２０の挿通孔２７の径よりも大きな寸法とされており、リング部６３がボス部４９の突出端面に当接しつつ挿通孔２７の孔縁部に係止して抜け止めする。
【００１９】
このようにして、シール部材保持部材４０は、ボス部４９と挿通孔２７との間にクリアランスが設けられていることで、シール部材保持部材４０はカバー本体２０に対して上下左右の全方位において移動可能な状態で保持されることになる。また、カバー本体２０は、ボス部４９の軸線方向に沿って移動可能に取り付けられた状態となる。そのため、シール部材保持部材４０とカバー本体２０との間は、空気等が通り抜けることが可能となっている。
【００２０】
シール部材保持部材４０には、図１及び図２に示すように、インターロック機構を構成するインターロックコネクタ７０が、シール部材保持部材４０に対して相対的に移動可能な形態で取り付けられている。インターロックコネクタ７０は、シール部材保持部材４０の長手方向の一端側に偏るように配されている。
【００２１】
図１及び図４に示すように、シール部材保持部材４０におけるインターロックコネクタ７０のボス部４９を挟んで反対側であって、シール部材保持部材４０の長手方向の他端側には、通気部５０が設けられている。通気部５０には、平板部４３を板厚方向（前後方向）に貫通する丸孔状の通気孔５１と、通気孔５１を遮る通気膜８０と、通気孔５１において通気膜８０よりも前方に設けられた異物防止部５９とを備えている。通気孔５１の後端側の孔縁部は、通気膜８０を装着するための装着部５３（「孔縁部」の一例）となっている。装着部５３は、通気孔５１の全周に亘ってその内径方向に突出することで設けられており、通気孔５１の前端側は後端側に比べて装着部５３の分開口面積が大きくなっている。
【００２２】
通気膜８０は、略円形状をなしており、防水性と通気性の双方の機能を有している。通気膜８０は、ポリテトラフルオロエチレン（ＰＴＦＥ）と不織布を貼り合わせることで形成されており、不織布側が前方（ケースの開口部側）になるように通気孔５１に装着されている。通気膜８０の表裏を識別するために、不織布側の表面に識別ライン８５が設けられている。この識別ライン８５は、通気孔５１の装着時に、異物防止部５９の側方に位置するように設けられている。通気膜８０は、装着部５３の後面に接着または溶着することで、通気孔５１を遮るように装着されている。
【００２３】
このように、シールカバー１０のシール部材保持部材４０に通気孔５１及び通気膜８０が設けられていることで、ケース内を防水しつつ、周囲温度の変動などによるケース内外の圧力差を通気膜８０によって緩和することができる。また、通気膜８０とカバー本体２０との間には、空間が設けられており、通気膜８０への通気を妨げることがない。
【００２４】
また、通気孔５１には、通気孔５１の通気膜８０よりも前方の開口を格子状に仕切る異物防止部５９が設けられている。異物防止部５９は、平板部４３の前端位置より僅かに後方の位置に配されており、開口を十字に仕切ることにより、通気孔５１が四等分に分割されている。つまり、通気孔５１の前方の開口は、異物防止部５９によって十字に仕切られており、通気孔５１の後端の開口は、カバー本体２０に後方から覆われているから、例えば、シールカバー１０の搬送および組み付けの際に、他の部材や手指などが、通気孔５１の前端および後端開口を通して内部に侵入し辛くなっている。なお、通気膜８０と異物防止部５９との間には空間が設けられていることから、異物防止部５９が通気膜８０の通気を妨げることはない。
【００２５】
本実施形態のシールカバー１０は上記のような構造であって、例えば以下のような手順で組み付けられる。
まず、通気膜８０の不織布側が前方になるようにして、シール部材保持部材４０の装着部５３に通気膜８０が接着または溶着により固定される。この際に、識別ライン８５が異物防止部５９の側方に見える状態で、通気膜８０が取り付けられる。このように識別ライン８５が異物防止部５９と重ならない領域に設けられていることから、通気膜８０の固定後に容易に通気膜８０の表裏を確認することができる。
【００２６】
そして、シール部材４７を装着されたシール部材保持部材４０が、カバー本体２０の裏面（前面）側における対応する領域に取り付けられる。具体的には、タップネジ６０をボス部４９の下穴４９Ａに嵌め込んで、ネジを下穴４９Ａに切り込みながら、リング部６３がボス部４９の突出端面に当接する位置までタップネジ６０がねじ込まれる。
【００２７】
そして、タップネジ６０のねじ込みが完了すると、図３に示すように、リング部６３がボス部４９の突出端面に固定され、リング部６３とカバー本体２０の凹部２５との間にはボス部４９の軸線方向（前後方向）の隙間ができる。つまり、カバー本体２０は、ボス部４９の軸線方向に移動可能となっている。また、ボス部４９と挿通孔２７との間にはクリアランスが設けられていることで、シール部材保持部材４０は上下左右の全方位において移動可能な状態で保持されることになる。
【００２８】
上記のようにシールカバー１０が組み付けられたら、シールカバー１０は、ケースの開口部に被着される。シールカバー１０をケースに取り付け、シール部材保持部材４０は、シール部材４７を周方向に潰し変形させつつ、開口部内に押し込まれる。ここで、開口部に対して嵌合部４１が正規の嵌合位置に至ると、嵌合部４１のシール部材４７が嵌合部４１の外周面と開口部の内周面とに密着することにより、嵌合部４１とケースとの間をシールする。これにより、開口部から水などがケース内に浸入することが防がれ、ケース内は密閉された状態となる。
【００２９】
ところで、機器のケースは密閉状態となっていると、周囲温度の変動などにより、ケース内の圧力とケース外の圧力と間に圧力差が生じ、シール部材４７が損傷して防水性能が保持できなくなる虞がある。そのため、本実施形態では、通気膜８０を有する通気孔５１がシールカバー１０のシール部材保持部材４０を前後方向に貫通して設けられているから、ケース内を防水しつつ、周囲温度の変動などによるケース内外の圧力差を通気膜８０によって緩和することができる。
【００３０】
ところで、シールカバー１０に通気膜８０を有する通気孔５１を設けると、シールカバー１０の搬送やシールカバー１０の着脱の際などに、通気膜８０に他の部品等が当接して損傷したり、通気膜８０に手指等が触れて汚れたりすることが懸念される。
【００３１】
そこで、本実施形態では、通気膜８０は、カバー本体２０に後方から覆われており、通気孔５１の前端開口縁部には、通気孔５１を十字に仕切る異物防止部５９が設けられている。そのため、シールカバー１０の搬送およびシールカバー１０の組み付けの際に、通気孔５１や通気膜８０に、手指等の異物が侵入したり、触れたりすることを防ぐことができる。
【００３２】
また、通気膜８０は、異物防止部５９とは離間した状態にあることから、通気膜８０が異物防止部５９によって妨げられることなく通気可能となる。一方、通気膜８０とカバー本体２０との間も離間した状態にあるため、通気膜８０がカバー本体２０によって妨げられることなく通気可能となる。そして、カバー本体２０とシール部材保持部材４０との間はがたつきをもって取り付けられていることから、通気膜８０が外部との通気を行うことが可能となっている。
【００３３】
以上のように、本実施形態では、通気孔５１及び通気孔５１に取り付けられた通気膜８０は、一方はカバー本体２０によって覆われ、他方は異物防止部５９が設けられることで、保護されている。そのため、シールカバー１０の着脱時等に手指等が通気膜に触れることを抑制できる。また、通気膜８０が異物防止部５９及びカバー本体２０と離間した状態にあるので、通気膜８０の通気が妨げられない。さらに、通気膜８０の識別ライン８５が、異物防止部５９の側方に設けられているため、異物防止部５９があっても識別ライン８５を確認することができる。
【００３４】
＜他の実施形態＞
本明細書で開示される技術は上記記述及び図面によって説明した実施形態に限定されるものではなく、例えば次のような実施形態も技術的範囲に含まれる。
（１）上記実施形態では、カバー本体２０はシール部材保持部材４０に対して、ボス部４９の軸線方向及び上下左右方向に移動可能となっていたが、移動できなくても良い。
【００３５】
（２）上記実施形態では、識別ライン８５が異物防止部５９の側方に設けられていたが、識別ラインがなくても良い。また、異物防止部５９と重なるような位置に設けられていても良い。
【００３６】
（３）上記実施形態では、異物防止部５９は十字状をなしていたが、他の形状であっても良い。例えば、同心円の円がつながっていても良いし、メッシュ状になっていても良い。
【００３７】
（４）上記実施形態では、通気膜８０が異物防止部５９と離間した状態になっていたが、接触しても良い。
【符号の説明】
【００３８】
１０…シールカバー
２０…カバー本体
４０…シール部材保持部材
４１…嵌合部
４３…平板部
５０…通気部
５１…通気孔
５３…装着部（孔縁部）
５９…異物防止部
６０…タップネジ
８０…通気膜
８５…識別ライン
【図１】
2017084928.tif 000003
【図２】
2017084928.tif 000004
【図３】
2017084928.tif 000005
【図４】
2017084928.tif 000006